(57)【要約】  【課題】  記録中に再生、同時再生および同時記録といった各種の記録／再生モードを実現し、利便性を高めることのできるディスク装置を提供する。【解決手段】  ディスク状情報記録媒体１の所定記録エリヤに映像・音声情報を記録／再生する１対の光ヘッド１０Ａ，１０Ｂと、前記ディスク状情報記録媒体１の中心側から径外方向に向けて延設され、前記中心を通る直線上に対向配置された１対のガイド８Ａ，８Ｂと、前記光ヘッド１０Ａ，１０Ｂがそれぞれ搭載され、前記各ガイド８Ａ，８Ｂに沿って前記ディスク状情報記録媒体１の中心側の記録開始位置から外周側の記録終了位置までの間を進退動する１対の移動手段９Ａ，９Ｂと、記録指令および／または再生指令の内容に応じて、前記各１対の移動手段８Ａ，８Ｂおよび光ヘッド１０Ａ，１０Ｂの一方または両方を動作させ、前記記録エリヤに前記情報を記録／再生させる制御を行う制御手段と、を備えた。【選択図】      図１
2009099195.tif 000002
【特許請求の範囲】
【請求項１】
ディスク状情報記録媒体の所定記録エリヤに映像・音声情報を記録／再生する１対の光ヘッドと、
前記ディスク状情報記録媒体の中心側から径外方向に向けて延設され、前記中心を通る直線上に対向配置された１対のガイドと、
前記光ヘッドがそれぞれ搭載され、前記各ガイドに沿って前記ディスク状情報記録媒体の中心側の記録開始位置から外周側の記録終了位置までの間を進退動する１対の移動手段と、
記録指令および／または再生指令の内容に応じて、前記各１対の移動手段および光ヘッドの一方または両方を動作させ、前記記録エリヤに前記情報を記録／再生させる制御を行う制御手段と、を備えたディスク装置。
【請求項２】
前記制御手段が、記録中再生指令に応じて、前記移動手段および光ヘッドの一方を動作させることにより前記記録エリヤに前記情報を記録させるとともに、他方の移動手段および光ヘッドを動作させて前記記録エリヤの記録情報を再生させることを特徴とする請求項１に記載のディスク装置。
【請求項３】
前記制御手段が、同時再生指令に応じて、前記移動手段および光ヘッドの一方を動作させることにより前記記録エリヤの記録情報を再生させるとともに、他方の移動手段および光ヘッドを動作させて前記記録エリヤとは異なる記録エリヤの記録情報を再生させることを特徴とする請求項１に記載のディスク装置。
【請求項４】
前記制御手段が、同時記録指令に応じて、前記移動手段および光ヘッドの一方を動作させることにより前記記録エリヤに前記情報を記録させるとともに、他方の移動手段および光ヘッドを動作させて前記記録エリヤとは異なる記録エリヤに前記情報を記録させることを特徴とする請求項１に記載のディスク装置。
【請求項５】
ディスク状情報記録媒体の所定記録エリヤに映像・音声情報を記録／再生する１対の光ヘッドと、
前記ディスク状情報記録媒体の中心側から径外方向に向けて延設され、前記中心を通る直線上に対向配置された１対のガイドと、
前記光ヘッドがそれぞれ搭載され、前記各ガイドに沿って前記ディスク状情報記録媒体の中心側の記録開始位置から外周側の記録終了位置までの間を進退動する１対の移動手段と、
記録中再生指令に応じて、前記移動手段および光ヘッドの一方を動作させることにより前記記録エリヤに前記情報を記録させるとともに、他方の移動手段および光ヘッドを動作させて前記記録エリヤの記録情報を再生させ、また、同時再生指令に応じて、前記移動手段および光ヘッドの一方を動作させることにより前記記録エリヤの記録情報を再生させるとともに、他方の移動手段および光ヘッドを動作させて前記記録エリヤとは異なる記録エリヤの記録情報を再生させ、さらに、同時記録指令に応じて、前記移動手段および光ヘッドの一方を動作させることにより前記記録エリヤに前記情報を記録させるとともに、他方の移動手段および光ヘッドを動作させて前記記録エリヤとは異なる記録エリヤに前記情報を記録させる制御を行う制御手段と、を備えたディスク装置。
【発明の詳細な説明】
【技術分野】
【０００１】
本発明は、光ディスクに情報を書き込みまたは情報の読み出しを行う記録／再生手段を複数系統備えたディスク装置に係り、特に、多種多様な記録や再生を可能にし得るディスク装置に関する。
【背景技術】
【０００２】
ＤＶＤ等の光ディスクに情報を記録し、この記録情報を再生させる装置として、簡単な制御により光ディスクへの書き込みを可能にすることを目的とした光ディスクドライブが知られている。
このものは、１枚の光ディスクに対しそれぞれ独立して情報の書き込みまたは読み出しを行う２系統のリード／ライトユニットと、このリード／ライトユニットおよび光ディスクを回転駆動する回転駆動手段を制御する制御手段と、２系統のリード／ライトユニットをホスト側機器に接続するI／Ｏポート等を備えている。
【０００３】
そして、各リード／ライトユニットは、１ヘッドのドライブと同じ構成のアナログフロントエンド回路、信号処理ユニット、バッファメモリを有しており、１ヘッドのユニットを２つ設けるのみで、ドライブ本体を構成している。
このため、従来の１つのリード／ライトユニットを持つ光ディスクドライブのユニットへの転用が可能になり、ドライブのコストダウンにつながる。
【０００４】
また、インターフェースブリッジを設けることで、ホスト装置は１ヘッドのドライブと同じようにシーケンシャルにデータを入出力することができ、インターフェースブリッジがシーケンシャルにデータをセグメントに分割して２つのユニットに交互に割り当てる。
これにより、各リード／ライトユニットにおけるセグメントの記録が終了すると、ほぼ待ち時間なく次のセグメントが送られてくるため、各リード／ライトユニットにおいて無駄な時間なく効率的なデータの記録が可能になるというものである。
【０００５】
【特許文献１】特開２００５−１６６１４７号公報また、高いデータ転送レートの確保と機器の小型化を図ることを目的とした光ヘッドが知られている。この光ヘッドは、１つの光学台に複数の対物レンズ、アクチュエータ、光学系ユニットを搭載している。そして、ゾーンＣＬＶ方式のＤＶＤ―ＲＡＭ採用ディスクの片面に対し、対物レンズをレーザースポットの熱が相互に伝播しないよう、ゾーン半径方向幅の約半分の距離だけ離して光学台上に配置している、この結果、対物レンズで集光したレーザー光により、同時に記録再生を行うことで、光ディスク再生装置の高いデータ転送レートの確保と機器の小型化を両立することができるというものである。
【０００６】
【特許文献２】特開２００２−２０８１７３号公報
【発明の開示】
【発明が解決しようとする課題】
【０００７】
ところで、上記特許文献１の発明は、１枚の光ディスクに対し独立して情報の書き込みまたは読み出しを行うことはできるが、２系統のリード／ライトユニットの光学系を光ディスクの中心を通る直線上に対向配置した構成を有していない。
従って、各光学系を光ディスクの記録エリヤもしくは記録ゾーンに直行して単独または同時に動作させることはできない。
このため、ある情報の記録中に再生させたり、ある情報の再生後に他の箇所の情報を再生させたり（追っかけ再生）、ある情報を記録中に他の情報を記録させる、といった各種の記録／再生モードを実現させることは不可能であった。
【０００８】
また、上記特許文献２の発明は、高いデータ転送レートでデータの記録を行うことができるが、対物レンズを含む光学系ユニットをＤＶＤの中心を通る直線上に対向配置した構成ではないので、前述の如く光学系ユニット等をゾーンに直行して単独または同時に動作させることはできない。
このため、特許文献１の発明と同じく記録中に再生、同時再生および同時記録といった各種の記録／再生モードを実現できず、ユーザーの利便性を高めるには限界があった。
【０００９】
本発明は、上記課題に鑑みてなされたもので、記録中に再生、同時再生および同時記録といった各種の記録／再生モードを実現し、利便性を高めることのできるディスク装置を提供することを目的としている。                 
【課題を解決するための手段】
【００１０】
上記目的を達成するため、本発明によるディスク装置は、ディスク状情報記録媒体の所定記録エリヤに映像・音声情報を記録／再生する１対の光ヘッドと、前記ディスク状情報記録媒体の中心側から径外方向に向けて延設され、前記中心を通る直線上に対向配置された１対のガイドと、前記光ヘッドがそれぞれ搭載され、前記各ガイドに沿って前記ディスク状情報記録媒体の中心側の記録開始位置から外周側の記録終了位置までの間を進退動する１対の移動手段と、記録指令および／または再生指令の内容に応じて、前記各１対の移動手段および光ヘッドの一方または両方を動作させ、前記記録エリヤに前記情報を記録／再生させる制御を行う制御手段と、を備えたことを特徴としている。
【００１１】
また、前記制御手段が、記録中再生指令に応じて、前記移動手段および光ヘッドの一方を動作させることにより前記記録エリヤに前記情報を記録させるとともに、他方の移動手段および光ヘッドを動作させて前記記録エリヤの記録情報を再生させることを特徴としている。
【００１２】
また、前記制御手段が、同時再生指令に応じて、前記移動手段および光ヘッドの一方を動作させることにより前記記録エリヤの記録情報を再生させるとともに、他方の移動手段および光ヘッドを動作させて前記記録エリヤとは異なる記録エリヤの記録情報を再生させることを特徴としている。
【００１３】
また、前記制御手段が、同時記録指令に応じて、前記移動手段および光ヘッドの一方を動作させることにより前記記録エリヤに前記情報を記録させるとともに、他方の移動手段および光ヘッドを動作させて前記記録エリヤとは異なる記録エリヤに前記情報を記録させることを特徴としている。
【００１４】
さらに、本発明のディスク装置は、ディスク状情報記録媒体の所定記録エリヤに映像・音声情報を記録／再生する１対の光ヘッドと、前記ディスク状情報記録媒体の中心側から径外方向に向けて延設され、前記中心を通る直線上に対向配置された１対のガイドと、前記光ヘッドがそれぞれ搭載され、前記各ガイドに沿って前記ディスク状情報記録媒体の中心側の記録開始位置から外周側の記録終了位置までの間を進退動する１対の移動手段と、記録中再生指令に応じて、前記移動手段および光ヘッドの一方を動作させることにより前記記録エリヤに前記情報を記録させるとともに、他方の移動手段および光ヘッドを動作させて前記記録エリヤの記録情報を再生させ、また、同時再生指令に応じて、前記移動手段および光ヘッドの一方を動作させることにより前記記録エリヤの記録情報を再生させるとともに、他方の移動手段および光ヘッドを動作させて前記記録エリヤとは異なる記録エリヤの記録情報を再生させ、さらに、同時記録指令に応じて、前記移動手段および光ヘッドの一方を動作させることにより前記記録エリヤに前記情報を記録させるとともに、他方の移動手段および光ヘッドを動作させて前記記録エリヤとは異なる記録エリヤに前記情報を記録させる制御を行う制御手段と、を備えたことを特徴としている。
【発明の効果】
【００１５】
以上説明したように、本発明によるディスク装置は、ディスク状情報記録媒体の中心を通る直線上に対向配置された１対のガイドと、前記光ヘッドがそれぞれ搭載されディスク状情報記録媒体の記録開始位置から記録終了位置までの間を進退動する１対の移動手段および制御手段を備えており、記録指令および／または再生指令の内容に応じて、前記各１対の移動手段および光ヘッドの一方または両方を動作させ、記録エリヤに映像・音声情報を記録／再生させることから、ある情報の記録中に再生させたり、ある情報の再生後に他の箇所の情報を再生させたり、ある情報を記録中に他の情報を記録させる、といった各種の記録／再生モードを実現でき、利便性を格段に高めることができる効果がある。
【００１６】
また、制御手段が、記録中再生指令に応じて、移動手段および光ヘッドの一方を動作させることにより記録エリヤに前記情報を記録させるとともに、他方の移動手段および光ヘッドを動作させて前記記録エリヤの記録情報を再生させるので、ある情報の再生中に他の情報を記録させることができる利点がある。
【００１７】
また、制御手段が、同時再生指令に応じて、移動手段および光ヘッドの一方を動作させることにより記録エリヤの記録情報を再生させるとともに、他方の移動手段および光ヘッドを動作させて前記記録エリヤとは異なる記録エリヤの記録情報を再生させるので、ある情報の再生中に他の箇所の情報を再生させることができる利点がある。
【００１８】
また、制御手段が、同時記録指令に応じて、移動手段および光ヘッドの一方を動作させることにより記録エリヤに前記情報を記録させるとともに、他方の移動手段および光ヘッドを動作させて前記記録エリヤとは異なる記録エリヤに前記情報を記録させるので、ある情報を記録中に他の情報を記録させるといったことができる利点がある。
【００１９】
さらに、本発明は、ディスク状情報記録媒スク状情報記録媒体の中心を通る直線上に対向配置された１対のガイドと、光ヘッドがそれぞれ搭載されディスク状情報記録媒体の記録開始位置から記録終了位置までの間を進退動する１対の移動手段および制御手段を備えており、記録指令および／または再生指令の内容に応じて、前記各１対の移動手段および光ヘッドの一方または両方を動作させ、記録エリヤに映像・音声情報を記録／再生させることから、記録中再生、同時再生および同時記録その他の記録／再生モードを実現でき、利便性を格段に高めることができる効果がある。
【発明を実施するための最良の形態】
【００２０】
以下、本発明に係るディスク装置の実施形態について、図面を参照しながら詳述する。
図１は本発明の一実施形態であるディスク装置の概要構成を示す平面図である。
本実施形態のディスク装置は、ＤＶＤの記録再生機能を備えたＤＶＤレコーダーに適用されたもので、１枚のＤＶＤ１に対し２系統の記録/再生部１１Ａ，１１Ｂ等により、多様な記録や再生を行う構成となっている。
【００２１】
ＤＶＤ１は、中心孔から外周に向けてスパイラル状に記録トラックが形成されており、内周がリードインエリヤ、外周がリードアウトエリヤで、その中間がデータエリヤとなっている。
このＤＶＤ１は、データエリヤのどの箇所からも上書きが可能なＶＲフォーマットに対応している。
従って、このディスク装置により、記録中再生、同時再生および同時記録等を行うことができる。
【００２２】
このＤＶＤ１は、ターンテーブル３に載置され、チャッキングされた状態で装置本体に設けたスピンドルモータ２により回転駆動する。
そして、光ピックアップユニット４Ａ，４Ｂにより情報が書込まれる一方、この記録情報が読み出される。
光ピックアップユニット４Ａ，４Ｂは、メインシャーシ５に設けたトラバースユニット６に搭載されている。
【００２３】
このトラバースユニット６は、左右１対のトラバースシャーシ７Ａ，７Ｂや図示省略した駆動伝達機構を備えている。
トラバースシャーシ７は、各一端をスピンドルモータ２側に延出させる一方、各他端をメインシャーシ５の端部側に延出させている。
各トラバースシャーシ７Ａ，７Ｂは、長さ方向に沿ってガイドとなる２本１対のシャフト８Ａ，８Ｂを延設しており、このシャフト８Ａ，８Ｂにスライドベース９Ａ，９Ｂが往復動自在に取付けられている。
【００２４】
このスライドベース９Ａ，９Ｂは、図示しないラックに固着されており、このラックには駆動モータにより回転するピニオンが噛合している。
各駆動モータは、主制御部２０の指令により回転駆動し、スライドベース９Ａまたは９Ｂを進退動させることにより、光ヘッド１０Ａ，１０ＢをＤＶＤ１の記録位置もしくは再生位置に移動させる。
この光ヘッド１０Ａ，１０Ｂは、半導体レーザ、光センサ、光軸方向アクチュエータおよび光学系を含み、ＤＶＤ１にレーザ光を照射して情報を記録または読み出させる構成になっている。
【００２５】
図２は、ディスク装置のドライバ側の電気的構成を示すブロック線図である。
図２において、１は前記ＤＶＤ、２はスピンドルモータ、３はターンテーブルである。また、４Ａ，４Ｂは前記光ピックアップユニットである。
光ピックアップユニット４Ａには、アナログフロントエンド回路１２Ａを介して信号処理ユニット１３Ａが接続されている。
これら光ピックアップユニット４Ａ、アナログフロントエンド回路１２Ａ、信号処理ユニット１３Ａおよびバッファメモリ１４ＡによってＡ系統の記録/再生部１１Ａが構成される。
【００２６】
また、光ピックアップユニット４Ｂには、アナログフロントエンド回路１２Ｂを介して信号処理ユニット１３Ｂが接続されている。
これら光ピックアップユニット４Ｂ、アナログフロントエンド回路１２Ｂ、信号処理ユニット１３Ｂおよびバッファメモリ１４ＢによってＢ系統の記録/再生部１１Ｂが構成される。
これら記録/再生部１１Ａ，１１Ｂは、構成が等しく同一の機能を有している。よって、記録/再生部１１Ａ側について説明する。  
【００２７】
アナログフロントエンド回路１２Ａは、図示省略しているがＲＦ増幅回路、レーザ駆動回路、フォーカスエラー信号生成回路およびトラッキングエラー信号生成回路等により構成されている。
ＲＦ増幅回路は、光ピックアップユニット４Ａの光センサから入力された読取信号を増幅する。
【００２８】
この読取信号は、信号処理ユニット１３Ａに送出されてベースバンド信号にデコードされる。
また、信号処理ユニット１３Ａは、デコーダ１５Ａ、エンコーダ１６Ａ、バッファインターフェース部１７Ａおよびメインインターフェース部１８Ａ等により構成されている。
また、サーボ回路１９Ａと接続されており、このサーボ回路１９Ａとの間で制御信号を送受信する。
【００２９】
デコーダ１５Ａは、アナログフロントエンド回路１２Ａを介して光ピックアップユニット４Ａから入力したＲＦ信号をデコードし、ベースバンドのディジタルデータに変換する。
エンコーダ１６Ａは、Ｉ／Ｏポート２１Ａからメインインターフェース部１８Ａを介して入力するデータをエンコードする。
バッファインターフェース部１７Ａは、バッファメモリ１４Ａとの間のデータの入出力を制御するようになっている。
【００３０】
このように構成された記録/再生部１１Ａ，１１Ｂは、Ａ系統およびＢ系統のそれぞれが主制御部２０に接続されている。
この主制御部２０は、データのリード／ライト（読出し／書込み）動作を制御するもので、ＣＰＵ，ＲＯＭ，ＲＡＭからなり、副制御部３０からのコマンド対応処理等を行う。
そして、後述のチューナ２２Ａまたは２２Ｂ側からのデータの読込みや、ＤＶＤ１から読取ったデータの転送を制御する。
また、この主制御部２０は、ＣＡＶ方式でＤＶＤ１を回転制御し、記録中再生、同時再生および同時記録等を行う。
【００３１】
すなわち、ＤＶＤ―ＲＡＭ等の記録方式としては、ＣＬＶ（Ｃｏｎｓｔａｎｔ  Ｌｉｎｅｒ  Ｖｅｌｏｃｉｔｙ）が採用されており、線速度がある一定の範囲となるように制御する。
また、このＤＶＤは、データエリヤ内を半径方向で複数のゾーン（領域）に分割しているため、当ゾーン内はＣＡＶ（Ｃｏｎｓｔａｎｔ  Ａｎｇｕｌａｒ  Ｖｅｌｏｃｉｔｙ）方式により、内周ほど回転数を速くして、データを記録可能に制御する。
【００３２】
図３は、ディスク装置の受信部側の電気的構成を示すブロック線図である。
この受信部は、２つのチューナ２２Ａ，２２Ｂを備えており、テレビジョン放送の受信信号を前記ＤＶＤ１に同時記録可能となっている。
この受信部は、両系統の構成が等しいため、チューナ２２Ａ側について説明する。
【００３３】
このチューナ２２Ａには、副制御部３０の指令信号が導かれ、Ａ／Ｄ変換回路（Ａ／Ｄ）２３Ａおよび図示省略したＹ／Ｃ分離回路が接続されている。
そして、リモコンの入力操作に基づく副制御部３０の指令により、選局されたチャンネルの受信信号がＡ／Ｄ変換回路２３Ａに送出される。
このＡ／Ｄ変換回路２３Ａは、アナログのテレビジョン信号をディジタル信号に変換し、ＭＰＥＧコーデック２４Ａ側に送出する。
【００３４】
このＭＰＥＧコーデック２４Ａは、エンコーダ２５Ａ，マルチプレクサ／デマルチプレクサ２６Ａを備えて構成されている。なお、エンコーダ２５Ａは、ＭＰＥＧのビデオエンコーダとオーディオエンコーダとを含んでいる。
このＭＰＥＧコーデック２４Ａに前記ディジタル信号が入力すると、エンコーダ２５Ａ側に伝送される。
このエンコーダ２５Ａは、ディジタル映像信号を圧縮してマルチプレクサ／デマルチプレクサ２６Ａに与えるとともに、ディジタル音声信号を圧縮してマルチプレクサ／デマルチプレクサ２６Ａに与える。
【００３５】
このマルチプレクサ／デマルチプレクサ２６Ａは、入力した映像信号のストリームと音声信号のストリームとをマルチプレクスし、ＭＰＥＧのシステムストリームに変換するようになっている。
また、このマルチプレクサ／デマルチプレクサ２６Ａは、図示しないバッファメモリから受け取ったＭＰＥＧのシステムストリームを、映像信号のストリームと音声信号のストリームとにデマルチプレクスし、デコーダ２７Ａ側に伝送する。
なお、このデコーダ２７Ａは、ビデオデコーダとオーディオデコーダとを含んでいる。
【００３６】
ビデオデコーダは、入力した映像信号のストリームをデコードし、前記Ｉ／Ｏポート２１Ａ（２１B）およびＤ／Ａ変換部（Ｄ／Ａ）２８Ａに送出する。
一方、オーディオデコーダは、音声信号のストリームをデコードしてＩ／Ｏポート２１Ａ（２１B）およびＤ／Ａ変換部（Ｄ／Ａ）２８Ａにそれぞれ送出する。
このＤ／Ａ変換部２８Ａは、入力信号をそれぞれアナログ信号に変換し、映像信号と音声信号とからなるアナログのテレビジョン信号を、出力端子２９Ａから外部接続機器（本例ではＴＶ）側に供給するようになっている。
【００３７】
また、前記マルチプレクサ／デマルチプレクサ２６Ａ，２６Bは、副制御部３０と双方向性に接続されている。
この副制御部３０は、指令信号に基づいてチューナ２２Ａ，２２Bの何れかを選択するとともに、そのチューナ２２にチャンネルを選局させることにより、放送番組の受信信号を出力させる構成になっている。
また、この副制御部３０は、主制御部２０に指令を与えることにより、 記録/再生部１１Ａ，１１Ｂを制御し、Ａ，Ｂ両系統を単独または並列に情報処理させて、同時再生や同時記録等を行う構成になっている。
【００３８】
次に、上記ディスク装置の動作について、図を参照しつつ説明する。
（１） 記録中再生          
ユーザーが、所望の放送番組を記録したい場合、ＤＶＤ１を装着した後、図示しないリモコンを操作し、チャンネルを選択してから記録キーを操作する。
副制御部３０は、これに応じて現在使用していない側、例えば、 記録/再生部１１Ａ側を選択する。
そして、記録モードに移行し、チューナ２２Ａに選局指令を出力する。すると、選局されたチャンネルの放送信号が受信され、ＭＰＥＧコーデック２４Ａ側にディジタル信号が送出される。
【００３９】
そして、このディジタル信号は、ＭＰＥＧコーデック２４Ａによりエンコードされた後、システムストリームとしてデコーダ２７Ａに送出される。
このシステムストリームは、デコーダ２７Ａによりデコードされた後、Ｄ／Ａ変換部（Ｄ／Ａ）２８ＡおよびＩ／Ｏポート２１Ａを介して信号処理ユニット１３Ａ側に供給される。
よって、ＴＶの電源をオンにすると、選局したチャンネルの放送番組が画面に表示されるとともに、スピーカから音声が放音される。
一方、信号処理ユニット１３Ａ側では、入力データをエンコーダ１６Ａによりエンコードしてから、アナログフロントエンド回路１２Ａに送出する。
【００４０】
このアナログフロントエンド回路１２Ａは、入力信号を光ピックアップユニット４Ａに送出する。
この光ピックアップユニット４Ａは、図１に示した光ヘッド１０Ａのレーザ駆動回路を動作させて、半導体レーザにより、ＤＶＤ１にデータを書き込ませる。よって、チューナ２２Ａにより受信した放送番組がＤＶＤ１に記録される。
【００４１】
ところで、ユーザーが記録中の番組を確認したいような場合、リモコンの再生キーを操作する。すると、副制御部３０がこれに応じて、未使用の 記録/再生部１１B側を選択する。
副制御部３０がこれに応じて主制御部２０に再生指令を与える。この主制御部２０は、図１に示すスライドベース９Ｂを駆動させることにより、光ヘッド１０ＢをＤＶＤ１の最初の記録位置（再生開始位置）に移動させる。
また、光ピックアップユニット４Ｂを動作させる。これにより、光センサがＤＶＤ１の記録情報を読取り、アナログフロントエンド回路１２Ｂに読取データを送出する。
【００４２】
このアナログフロントエンド回路１２Ｂでは、デコーダ１５Ｂが入力データをデコードし、ベースバンドのディジタルデータに変換する。
そして、このディジタルデータが、Ｉ／Ｏポート２１Ｂ側からＤ／Ａ変換部２８Ｂに供給される。
このＤ／Ａ変換部２８Ｂは、アナログ信号をＴＶに送出するので、画面には再生映像が表示される（追っかけ再生）。
よって、ユーザーは、放送番組の記録中にその再生映像を見られるため、番組の内容を容易に確認することができる。
【００４３】
（２）同時再生
ユーザーが、ＤＶＤ１に記録された内容を異なる箇所で見たい場合、リモコンを操作し、再生キーを操作する。
すると、副制御部３０は、 記録/再生部１１Ａ側を選択し、主制御部２０に再生指令を与える。
この主制御部２０は、図１に示すスライドベース９Ａを駆動させることにより、光ヘッド１０ＡをＤＶＤ１の再生開始位置に移動させる。また、光ピックアップユニット４Ａを動作させる。
これにより、光センサがＤＶＤ１の記録情報を読取り、アナログフロントエンド回路１２Ａに読取データを送出する。
【００４４】
このアナログフロントエンド回路１２Ａでは、デコーダ１５Ａが入力データをデコードし、ベースバンドのディジタルデータに変換する。
そして、このディジタルデータが、Ｉ／Ｏポート２１Ａ側からＤ／Ａ変換部２８Ａに供給される。
このＤ／Ａ変換部２８Ａは、アナログ信号をＴＶに送出するので、画面には再生映像が表示される。よって、ユーザーは、ＤＶＤ１の再生映像を見ることができる。
【００４５】
この再生中、ユーザーが他の箇所を見たい場合、リモコンを操作の再生キーを操作すると、主制御部２０が、 記録/再生部１１Ａ側を選択する。そして、スライドベース９Ａを駆動させることにより、光ヘッド１０ＡをＤＶＤ１の任意位置に移動させる。また、光ピックアップユニット４Ａを動作させる。
これにより、光センサがＤＶＤ１の記録情報を読取り、アナログフロントエンド回路１２Ａに読取データを送出する。
【００４６】
このアナログフロントエンド回路１２Ａでは、デコーダ１５Ａが入力データをデコードし、ベースバンドのディジタルデータに変換する。
そして、このディジタルデータが、Ｉ／Ｏポート２１Ａ側からＤ／Ａ変換部２８Ａに供給される。
このＤ／Ａ変換部２８Ａは、アナログ信号をＴＶに送出するので、画面には再生映像が表示される。
よって、ユーザーは、現在再生されている番組の先を見たり、逆に後の方を見るといったように、２つの再生映像を見られるため、番組の内容を容易に知ることができる。
【００４７】
（３）同時記録
ユーザーが、放送番組を２種類記録したい場合、リモコンでチャンネルを選択し記録キーを操作する。
これに応じて、副制御部３０は、まず、記録/再生部１１Ａ側に記録動作を開始させ、選択されたチャンネルの放送番組をＤＶＤ１に書き込ませる。よって、チューナ２２Ａにより受信した放送番組がＤＶＤ１に記録される。
【００４８】
この記録時、ユーザーが他の番組を記録したい場合、リモコンでチャンネルを選択し記録キーを操作する。
すると、 記録/再生部１１Ｂ側が記録動作を開始し、記録/再生部１１Ａ側と同じく選択されたチャンネルの放送番組をＤＶＤ１に書き込ませる。よって、チューナ２２Ｂにより受信した放送番組がＤＶＤ１に記録される。
これにより、ＨＤＤを備えたＨＤレコーダ等を用いなくても、２つの放送番組を１つのＤＶＤ１に同時記録することができる。
【００４９】
なお、上記実施形態においては、記録中再生、同時再生および同時記録について説明したが、再生中記録を含む各種の記録／再生モードを行わせることもできる。
また、本実施形態の情報記録再生装置は、ＤＶＤの記録再生機能を備えたＤＶＤレコーダーに採用したものであるが、このＤＶＤレコーダーとテレビジョン受像機とを一体化したテレビ一体型のタイプにも広く適用することができる。
なお、本発装置明は上記の各実施形態に限定されず、本発明の趣旨を逸脱しない範囲で、種々の変更が可能である。
【図面の簡単な説明】
【００５０】
【図１】本発明の一実施形態であるディスク装置の概要構成を示す平面図である。
【図２】同ディスク装置のドライブ側の電気的構成を示すブロック線図である。
【図３】同ディスク装置の受信部側の電気的構成を示すブロック線図である。
【符号の説明】
【００５１】
１      ディスク状情報記録媒体
８Ａ    ガイド
８Ｂ    ガイド
９Ａ    移動手段
９Ｂ    移動手段
１０Ａ  光ヘッド
１０Ｂ  光ヘッド
【図１】
2009099195.tif 000003
【図２】
2009099195.tif 000004
【図３】
2009099195.tif 000005